(57)【要約】      （修正有）【課題】包装袋内に菓子類等をバラ状態で収容でき、開封後、食品用容器として使用可能なピロータイプ包装袋で包装された包装食品の喫食方法及びピロータイプ包装袋の積層フィルムを提供する。【解決手段】外面側及び内面側に印刷層を備えた積層フィルムで形成されたセンターシール部２と、センターシール部に交差する上端及び下端にトップシール部及びボトムシール部を備えたピロータイプ包装袋で包装された食品の喫食方法であって、ピロータイプ包装袋のセンターシール部に平行する左右の端部のうち、いずれか一方の端部をセンターシール部に沿って、ピロータイプ包装袋を開封し、開封後、形成された開口部より積層フィルムを捲り内面側の印刷層を露出させ、食品用容器として使用する包装された食品の喫食方法である。【選択図】図４
2019151377.tif 000002
【特許請求の範囲】
【請求項１】
外面側及び内面側に印刷層を備えた積層フィルムで形成されたセンターシール部と、前記センターシール部に交差する上端及び下端にトップシール部及びボトムシール部を備えたピロータイプ包装袋で包装された食品の喫食方法であって、
前記ピロータイプ包装袋の前記センターシール部に平行する左右の端部のうち、いずれか一方の端部を前記センターシール部に沿って、前記ピロータイプ包装袋を開封し、開封後、形成された開口部より前記積層フィルムを捲り内面側の前記印刷層を露出させ、
食品用容器として使用する包装された食品の喫食方法。
【請求項２】
外面側及び内面側に印刷層を備えた積層フィルムで形成されたセンターシール部と、前記センターシール部に交差する上端及び下端にトップシール部及びボトムシール部を備えたピロータイプ包装袋を前記センターシール部に平行する左右の端部のうち、いずれか一方の端部を前記センターシール部に沿って、前記ピロータイプ包装袋を開封し、開封後、形成された開口部より前記積層フィルムを捲り内面側の前記印刷層を露出させ食品用容器として使用する前記ピロータイプ包装袋の前記積層フィルムであって、
前記積層フィルムが外面側から内面側に順に第一印刷層を備えた基材層と、第二印刷層を備えた中間層と、熱融着性樹脂層とを備え、
前記基材層の前記第一印刷層と前記中間層の前記第二印刷層の反対側、及び、前記中間層の前記第二印刷層と前記熱融着性樹脂層が接着層を介してそれぞれが積層されていることを特徴とするピロータイプ包装袋の積層フィルム。
【請求項３】
前記第二印刷層により形成されている印刷絵柄がエンドレス柄であることを特徴とする請求項２に記載のピロータイプ包装袋の積層フィルム。
【発明の詳細な説明】
【技術分野】
【０００１】
本発明は、ピロータイプ包装袋で包装されたクッキー、スナック、チョコレート等をバラ状態で収容された食品の喫食方法及びそのピロータイプ包装袋に用いる積層フィルムに関する。
【背景技術】
【０００２】
従来、クッキー、スナック、チョコレート、キャンディ、ビスケット、あられ、おつまみ等の菓子類等の食品は三方シールタイプ、四方シールタイプ、ガセットタイプ、ピロータイプ等の種々の形態の包装袋で包装されている。通常、菓子類はバラ状態で収容されているが、バラ状態では壊れ易いときには合成樹脂製のトレーに陳列したままで包装袋内に装入し包装することが行われている（例えば、特許文献１参照）。
【０００３】
包装袋にトレーが装入されていない場合、一人で食するときには不都合はないが、多人数で食するときにはお皿等の容器を準備し、容器に包装袋の菓子類を移し替えなければならず、面倒なものである。
【０００４】
一方、特許文献１のようにトレーが装入されている場合、開封して取り出したトレーを容器として使用すると見栄えも劣り、味気もないものであり、また、食した後、包装袋の廃棄に際し、包装袋とトレーに分別廃棄する必要があり、トレーは嵩張るので廃棄までの保管が面倒なものである。
【先行技術文献】
【特許文献】
【０００５】
【特許文献１】実公平４−２６３２９号公報
【発明の概要】
【発明が解決しようとする課題】
【０００６】
そこで本発明は、上記問題を解決すべくなされたものであり、その目的とするところは包装袋内にトレーを装入することなく、菓子類等をバラ状態で収容でき、開封後、食品用容器として使用可能なピロータイプ包装袋で包装された食品の喫食方法及びピロータイプ包装袋の積層フィルムを提供することにある。
【課題を解決するための手段】
【０００７】
本発明は、上記課題を達成するために、請求項１記載の本発明は、外面側及び内面側に印刷層を備えた積層フィルムで形成されたセンターシール部と、前記センターシール部に交差する上端及び下端にトップシール部及びボトムシール部を備えたピロータイプ包装袋で包装された食品の喫食方法であって、前記ピロータイプ包装袋の前記センターシール部に平行する左右の端部のうち、いずれか一方の端部を前記センターシール部に沿って、前記ピロータイプ包装袋を開封し、開封後、形成された開口部より前記積層フィルムを捲り内面側の前記印刷層を露出させ、食品用容器として使用する包装された食品の喫食方法である。
【０００８】
また、請求項２記載の本発明は、外面側及び内面側に印刷層を備えた積層フィルムで形成されたセンターシール部と、前記センターシール部に交差する上端及び下端にトップシール部及びボトムシール部を備えたピロータイプ包装袋を前記センターシール部に平行する左右の端部のうち、いずれか一方の端部を前記センターシール部に沿って、前記ピロータイプ包装袋を開封し、開封後、形成された開口部より前記積層フィルムを捲り内面側の前記印刷層を露出させ食品用容器として使用する前記ピロータイプ包装袋の前記積層フィルムであって、前記積層フィルムが外面側から内面側に順に第一印刷層を備えた基材層と、第二印刷層を備えた中間層と、熱融着性樹脂層とを備え、前記基材層の前記第一印刷層と前記中間層の前記第二印刷層の反対側、及び、前記中間層の前記第二印刷層と前記熱融着性樹脂層が接着層を介してそれぞれが積層されていることを特徴とするピロータイプ包装袋の積層フィルムである。
【０００９】
また、請求項３に記載の本発明は、請求項２に記載のピロータイプ包装袋の積層フィルムにおいて、前記第二印刷層により形成されている印刷絵柄がエンドレス柄であることを特徴とするものである。
【発明の効果】
【００１０】
本発明のピロータイプ包装袋で包装された食品の喫食方法及びピロータイプ包装袋の積層フィルムは、菓子類等をバラ状態で収容でき、開封後、食品用容器として使用できる。
【００１１】
また、ピロータイプ包装袋の積層フィルムは外面側及び内面側に印刷層を備えるので、ピロータイプ包装袋の開封前は、外面側の印刷層が見え、開封後は形成された開口部より積層フィルムを捲り内面側の印刷層を露出させることにより内面側の印刷層が見え、ピロータイプ包装袋を高意匠性の食品用容器として使用できる。さらに、外面側の印刷層と内面側の印刷層の対比による驚きとインパクトを使用者に与えることができる。
【図面の簡単な説明】
【００１２】
【図１】本発明に係る積層フィルムを用いたピロータイプ包装袋の一実施形態を示し、（イ）が平面図、（ロ）がＡ−Ａ線断面図である。
【図２】本発明に係るピロータイプ包装袋の積層フィルムの積層構成例を示す断面図である。
【図３】本発明に係る包装された食品の喫食方法を説明する説明図であって、ピロータイプ包装袋を開封した状態を示し、（イ）が正面図、（ロ）がＢ−Ｂ線断面図を示す。
【図４】本発明に係る包装された食品の喫食方法を説明する説明図であって、ピロータイプ包装袋を開封後、開口部を捲り返した状態を示し、（イ）が斜視図、（ロ）がＣ−Ｃ線断面図を示す。
【発明を実施するための形態】
【００１３】
上記の本発明について、図面等を用いて以下に詳述する。
図１は本発明に係る積層フィルムを用いたピロータイプ包装袋の一実施形態を示し、（イ）が平面図、（ロ）がＡ−Ａ線断面図、図２は本発明に係るピロータイプ包装袋の積層フィルムの積層構成例を示す断面図、図３は本発明に係る包装された食品の喫食方法を説明する説明図であって、ピロータイプ包装袋を開封した状態を示し、（イ）が正面図、（ロ）がＢ−Ｂ線断面図、図４は本発明に係る包装された食品の喫食方法を説明する説明図であって、ピロータイプ包装袋を開封後、開口部を捲り返した状態を示し、（イ）が斜視図、（ロ）がＣ−Ｃ線断面図であり、図中の１はピロータイプ包装袋、１’は開封されたピロータイプ包装袋、１０は積層フィルム、１１は基材層、１２は第一印刷層、１３は中間層、１４は第二印刷層、１５は熱融着性樹脂層、１６は第一接着層、１７は第二接着層、２はセンターシール部、３はトップシール部、４はボトムシール部、５はノッチ、６ｌは左端部、６ｒは右端部、７は開口部、８は食品、２０は食品用容器をそれぞれ示す。
【００１４】
図１は本発明に係る積層フィルムを用いたピロータイプ包装袋の一実施形態を示し、（イ）が平面図、（ロ）がＡ−Ａ線断面図である。ピロータイプ包装袋１は１枚の矩形状の積層フィルム１０の一方の互いに対向する端縁同士を熱融着性樹脂層１５（図２参照）を内側にして重ね合わせ合掌シールすることによりセンターシール部２を形成して、筒状となし、センターシール部２に交差する上端及び下端にトップシール部３及びボトムシール部４を備え食品８（図４参照）を密封包装したものである。食品８はトップシール部３またはボトムシール部４のいずれか一方が形成された後、他方の開口部より充填されトップシール部３またはボトムシール部４を形成することにより密封される。
【００１５】
センターシール部２により形成された筒状部の左端部６ｌ及び右端部６ｒは積層フィルム１０が折り返された折り返し部となっており、左端部６ｌ及び右端部６ｒはセンターシール部２を挟み略平行している。なお、図１（イ）においてトップシール部３を上側としセンターシール部２側から見たときの状態を示している。トップシール部３の外縁には右端部６ｒの近傍にノッチ５が形成されている。ノッチ５はピロータイプ包装袋１を開封しやすいので形成する方が好ましい。形成する位置は左端部６ｌ近傍でもよく、あるいはボトムシール部４の右端部６ｒまたは左端部６ｌであってもよい。
【００１６】
図１（ロ）はＡ−Ａ線断面図であって、センターシール部２は右端部６ｒ側に倒されている。積層フィルム１０で囲まれた筒状部の内部には食品（図示しない）が充填されている。センターシール部２の倒される方向は左端部６ｌ側でもよい。また、センターシール部２の位置は右端部６ｒまたは左端部６ｌの側に寄せることもできるが、後述するが略中央に設ける方が好ましい。
【００１７】
図２は本発明に係るピロータイプ包装袋の積層フィルムの積層構成例を示す断面図である。図２に示すように本発明の積層フィルム１０は外面側から内面側に順に第一印刷層１２を備えた基材層１１と、第二印刷層１４を備えた中間層１３と、熱融着性樹脂層１５とを備えた構成である。基材層１１の第一印刷層１２と中間層１３の第二印刷層１４の反対側が第一接着層１６を介して積層されており、中間層１３の第二印刷層１４と熱融着性樹脂層１５が第二接着層１７を介して積層されている。本発明の積層フィルム１０は上記構成とすることにより外面側から積層フィルム１０の第一印刷層１２が見え、内面側から第二印刷層１４が見え、高意匠性を備えた積層フィルム１０が得られる。
【００１８】
第一印刷層１２はデザイン、絵柄、及び商品名、製造者、販売者、キャッチコピー等の文字等の印刷が施される。第二印刷層１４は絵柄、模様等が印刷される。例えば、母の日であれば特別な日の贈り物にふさわしいカーネーション等の花柄等が好ましい。また、第二印刷層１４により形成されている印刷絵柄がエンドレス柄であることが好ましい。エンドレス柄とは一面に同じ柄や模様を終わることなくエンドレスに繰り返して印刷されている状態を示し、柄の継ぎ目がない状態ないし継ぎ目が目立たない状態である。
【００１９】
つぎに本発明のピロータイプ包装袋１の積層フィルム１０に用いる積層材料について図２を参照しながら説明する。基材層１１としては、ピロータイプ包装袋１を構成する積層フィルム１０の基本素材となることから、機械的、物理的、化学的等において優れた性質を有する合成樹脂製フィルムを用いることができ、たとえば、ポリエステル系、ポリアミド系、ポリプロピレン系等の樹脂を用いたフィルムを用いられる。また、これらのフィルムとしては、未延伸フィルム、あるいは、一軸方向ないし二軸方向に延伸した延伸フィルム等のいずれのものでも使用することができるが、基材層１１には第一印刷層１２を設けるのでこれらのフィルムとしては、印刷適性が求められることから一軸方向ないし二軸方向に延伸したフィルムが好適である。さらに第一印刷層１２を基材層１１に裏刷り印刷して中間層１３側に設ける場合には第一印刷層１２を基材層１１を透して外側から見るので透明または半透明のフィルムであることが好ましい。また、基材層１１を構成するフィルムの厚さとしては、基本素材としての強度、剛性などについて必要最低限に保持され得る厚さであればよく、コストなどを勘案して決めればよい。通常、９〜５０μｍ程度である。また、基材層１１に水蒸気透過度、酸素ガス透過度等のバリア性を付与したいときには、上記のフィルムにポリ塩化ビニリデン、ポリビニルアルコール等のバリア性樹脂組成物を塗布してバリア層を設けたもの、あるいは、酸化アルミニウム、酸化珪素、酸化インジウム、酸化錫、酸化ジルコニウム等の無機物を蒸着して透明蒸着層を設けたものを用いることができる。
【００２０】
中間層１３としては、第二印刷層１４を設けることから印刷適性を備えた一軸方向ないし二軸方向に延伸したフィルムが好適である。また、剛性、バリア性あるいは遮光性等を付与するフィルムも使用できる。中間層１３に用いるフィルムとしては基材層１１に使用するポリエステル系、ポリアミド系、ポリプロピレン系のフィルムやこれらのフィルムに前記バリア層または透明蒸着層を備えたフィルム、あるいは、ポリエステル系、ポリアミド系、ポリプロピレン系のフィルムの一方の側にアルミニウムを蒸着したアルミニウム蒸着フィルムを使用できる。また、ポリエステル系、ポリアミド系またはポリプロピレン系のフィルムにアルミニウム箔を積層した複合フィルムも使用できる。特にアルミニウム蒸着フィルムは、隠蔽性を有することから第二印刷層１４を熱融着性樹脂層１５側に設けることにより外面側から見えることがないので好ましい。さらに後述するがピロータイプ包装袋１を開封後、形成された開口部の積層フィルム１０を捲り返し内面側の印刷層を露出させたとき、積層フィルム１０がシワになりにくく第二印刷層１４の見栄えがよい。
【００２１】
熱融着性樹脂層１５を構成する材料としては、熱により溶融し相互に溶着し得る熱接着性樹脂から形成された層であればよく、たとえば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種乃至それ以上からなる樹脂で形成することができる。なお、第二印刷層１４は熱融着性樹脂層１５を透して見るので熱融着性樹脂層１５は透明であることが好ましい。
【００２２】
中間層１３と熱融着性樹脂層１５を積層する方法としては、例えば、ウレタン系等のドライラミネート用接着剤を用いて積層するドライラミネート法やポリエチレン樹脂等を溶融押出しして積層する押出しラミネート法が使用できる。したがって、図２に示す第一接着層１６及び第二接着層１７はドライラミネート法の場合はドライラミネート用接着剤であり、押出しラミネート法の場合は溶融押出された樹脂層を示す。押出しラミネート法の場合にはアンカー層を設けて接着向上させることができる。
【００２３】
積層フィルム１０を用いてピロータイプ包装袋１を製造する場合、予め製袋機を用いてセンターシール部２と、トップシール部３またはボトムシール部４のいずれかを一方に設け、他方を開口とした袋に製袋した後、他方の開口から内容物を充填しトップシール部３またはボトムシール部４を設けて密封する。あるいは、自動包装機を用いてピロータイプ包装袋１を製袋しながら内容物を自動充填してもよい。
【００２４】
次に図１、図３、図４を参照しながら本発明の積層フィルム１０を用いたピロータイプ包装袋１で包装された包装食品の喫食方法について説明する。まず、図１に示すようにピロータイプ包装袋１のセンターシール部２に平行する左右の端部のうち、一方の端部をセンターシール部２に沿って、ピロータイプ包装袋１を引き裂き開封する。図３には図１のトップシール部３の右端部６ｒの近傍に形成されたノッチ５よりセンターシール部２に沿って、右端部６ｒを引き裂き開封されたピロータイプ包装袋１’を示している。図３に示すように開封されたピロータイプ包装袋１’は左端部６ｌと右端部６ｒ間の長さよりトップシール部３とボトムシール部４の内縁間の長さを大きくすることにより形成された開口部７が大きくできるので好ましい態様である。図３（ロ）には開口部７より内容物（図示しない）が見えている。センターシール部２は開口部７側に倒れた例を示すが、左端部６ｌ側に倒すこともできる。換言すればセンターシール部２に沿って、左端部６ｌを引き裂き開封してもよい。
【００２５】
図４に示すように開封後、形成された開口部７の積層フィルム１０をセンターシール部２の内縁まで捲り基材層１１の外側同士を重ね合わせ、内面側の印刷層を露出させる。すると、中間層１３に形成された第二印刷層１４が熱融着性樹脂層１５を透して見ることができる。開口部７は積層フィルム１０が二重となると共にセンターシール部２の部分が図４（ロ）に示すように積層フィルム１０が四重になって剛度が増すので開口部７が拡げられた状態で保持でき、センターシール部２で折り返された積層フィルム１０は二重となるので剛度が二倍となった周壁となり、トップシール部３及びボトムシール部４の部分は折り返されているのでシール部分が二重となり積層フィルム１０としては図示しないが六重になっているので剛度が増し、脚部となり周壁を保持し図４に示す食品用容器２０となる。
【００２６】
食品用容器２０は熱融着性樹脂層１５を透して第二印刷層１４が見えるので高意匠性容器となる。さらに第二印刷層１４により形成されている印刷絵柄をエンドレス柄とすることにより食品用容器２０の周壁の外面及び内面の絵柄が連続するのでより高意匠性が得られる。さらに、使用者には外面側から見えていた第一印刷層１２から積層フィルム１０を捲ることにより見える絵柄が内面側の第二印刷層１４にチェンジされることの驚きとそのチェンジされた絵柄の対比によりインパクトを与えることができる。そして、図４に示すように食品用容器２０の広い開口より食品８を指で摘まみ食することができる。
【実施例】
【００２７】
次に実施例を挙げて本発明について詳しく説明する。
〔実施例１〕
基材層１１として厚さ２０μｍの二軸延伸ポリプロピレンフィルム（ＯＰＰ）、中間層１３として厚さ１２μｍの二軸延伸ポリエチレンテレフタレートフィルムの片面にアルミニウム蒸着（ＶＭ）されたアルミニウム蒸着ポリエチレンテレフタレートフィルム（ＶＭＰＥＴ）を用い、熱融着性樹脂層１５として厚さ２５μｍの未延伸ポリプロピレンフィルム（ＣＰＰ）を用い、ＯＰＰの片面にグラビアインキを用いてグラビア印刷（ＧＲ）し第一印刷層１２を設けた。つぎにＶＭＰＥＴのアルミニウム蒸着面にグラビアインキを用いて花柄をグラビア印刷（ＧＲ）しエンドレス柄の第二印刷層１４を設けた。そして、ウレタン系２液硬化型ドライラミネート接着剤を用いてＯＰＰの第一印刷層１２の面とＶＭＰＥＴの第二印刷層１４と反対側の面とドライラミネート法（ＤＬ）で積層し、さらにＶＭＰＥＴの第二印刷層１４の面とＣＰＰとをドライラミネート法で積層し、＜ＯＰＰ２０／ＧＲ／ＤＬ／ＶＭＰＥＴ１２（ＶＭ）／ＧＲ／ＤＬ／ＣＰＰ２５＞なる構成の積層フィルム１０を作製した。
【００２８】
実施例１で作製した積層フィルム１０を用いて製袋しクッキーを図１に示すピロータイプ包装袋１に充填した。ピロータイプ包装袋１の外寸は上下寸法（トップシール部３とボトムシール部４との外縁の間）２４０ｍｍ、左右寸法（折り畳んだ状態の左端部６ｌと右端部６ｒの間）１７５ｍｍとし、センターシール部２、トップシール部３、ボトムシール部４のシール幅は１０ｍｍとした（展開寸法：上下２４０ｍｍ×左右３７０ｍｍ）。
【００２９】
上記ピロータイプ包装袋１の右端部６ｒの近傍をセンターシール部２に沿って引き裂き開封した。そして、図４に示すように積層フィルム１０をセンターシール部２まで捲り返したところ、高意匠性を備えた食品用容器２０が得られた。また、開口部の開口状態も保持され、自立性も備えた食品用容器２０となり、内容物のクッキーを容易に取り出すことができた。
【００３０】
〔比較例１〕
実施例１で得られたピロータイプ包装袋１を用いて、トップシール部３の少しボトムシール部４側をボトムシール部４に沿ってセンターシール部２に交差して開封した。そして、開口部より積層フィルム１０をボトムシール部４側に捲りピロータイプ包装袋１の中央あたりまで捲り返し食品用容器としたが十分な自立性が得られず内容物が毀れた。また、開口部も保持も十分でなく、拡がった開口部にはならなかった。
【符号の説明】
【００３１】
１              ピロータイプ包装袋
１’            開封されたピロータイプ包装袋
２              センターシール部
３              トップシール部
４              ボトムシール部
５              ノッチ
６ｌ            左端部
６ｒ            右端部
７              開口部
８              食品
１０            積層フィルム
１１            基材層
１２            第一印刷層
１３            中間層
１４            第二印刷層
１５            熱融着性樹脂層
１６            第一接着層
１７            第二接着層
２０            食品用容器
【図１】
2019151377.tif 000003
【図２】
2019151377.tif 000004
【図３】
2019151377.tif 000005
【図４】
2019151377.tif 000006